(57)【要約】【課題】原稿カバーが閉じられる速度に影響されずに正しく原稿サイズを検出することができる原稿サイズ検出装置を提供する。【解決手段】原稿が載置される透明な原稿載置台に載置された原稿サイズを検出するための原稿サイズ検出装置であって、１以上の発光部を周期的に発光させ、それらに対応する１以上の受光部の各々による受光の有無に基づいて周期毎に原稿サイズを取得する原稿サイズ取得手段と、原稿サイズ取得手段により１以上の各々の周期において取得された原稿サイズに基づいて原稿サイズを確定する原稿サイズ確定手段を備え、１以上の発光部又は１以上の受光部は少なくとも原稿載置台の高さから所定の高さまでの範囲において上昇し下降することが可能であり、原稿サイズ確定手段は、１以上の発光部又は１以上の受光部が下降する速度に応じて異なる方法により原稿サイズを確定する。【選択図】図１７
2018019184.tif 000002
【特許請求の範囲】
【請求項１】
原稿が載置される透明な原稿載置台に載置された原稿サイズを検出するための原稿サイズ検出装置であって、
１以上の発光部を周期的に発光させ、その各々が前記１以上の発光部に対応する１以上の受光部の各々による受光の有無に基づいて周期毎に原稿サイズを取得する原稿サイズ取得手段と、
前記原稿サイズ取得手段により１以上の各々の周期において取得された原稿サイズに基づいて原稿サイズを確定する原稿サイズ確定手段と、
を備え、
前記１以上の発光部又は前記１以上の受光部は少なくとも前記原稿載置台の高さから所定の高さまでの範囲において上昇し下降することが可能であり、
前記原稿サイズ確定手段は、前記１以上の発光部又は前記１以上の受光部が下降する速度に応じて異なる方法により前記原稿サイズを確定することを特徴とする原稿サイズ検出装置。
【請求項２】
請求項１に記載の原稿サイズ検出装置であって、
前記原稿台を覆うための開閉可能な原稿カバーを更に備え、
１以上の発光部又は１以上の受光部が備わる機構部が前記原稿カバーと連動することにより、前記１以上の発光部又は前記１以上の受光部は少なくとも前記原稿載置台の高さから所定の高さまでの範囲において前記原稿カバーの開閉に伴って上昇し下降することが可能であり、
前記原稿サイズ確定手段は、前記原稿カバーが閉じるのに伴って前記１以上の発光部又は前記１以上の受光部が下降する速度に応じて異なる方法により前記原稿サイズを確定することを特徴とする原稿サイズ検出装置。
【請求項３】
請求項２に記載の原稿サイズ検出装置であって、
前記原稿サイズ確定手段は、
前記原稿カバーが閉じる速度が閾値以上であれば、前記原稿カバーの所定の部分が所定の検出用位置にあるときに前記原稿サイズ取得手段が取得した原稿サイズに基づいて原稿サイズを確定し、
前記原稿カバーが閉じる速度が閾値未満であれば、前記原稿サイズ取得手段が取得した所定数の原稿サイズに基づいて原稿サイズを確定することを特徴とする原稿サイズ検出装置。
【請求項４】
請求項３に記載の原稿サイズ検出装置であって、
前記所定の検出用位置とは、前記原稿カバーの所定の部分が前記原稿カバーが閉じた状態におけるその位置から所定の範囲内にある位置であることを特徴とする原稿サイズ検出装置。
【請求項５】
請求項２に記載の原稿サイズ検出装置であって、
前記原稿サイズ確定手段は、前記原稿サイズ取得手段が原稿サイズの取得を開始してから前記原稿カバーが閉じるまでの間に前記原稿サイズ取得手段が取得した一部または全ての原稿サイズであって、前記原稿カバーの速度に応じた数の原稿サイズに基づいて原稿サイズを確定することを特徴とする原稿サイズ検出装置。
【請求項６】
請求項５に記載の原稿サイズ検出装置であって、
前記原稿サイズ確定手段は、前記原稿サイズ取得手段が原稿サイズの取得を開始してから前記原稿カバーが閉じるまでの間に前記原稿サイズ取得手段が取得した一部または全ての原稿サイズであって、前記原稿カバーが閉じる直前において前記原稿サイズ取得手段が取得した原稿サイズを除いた原稿サイズに基づいて原稿サイズを確定することを特徴とする原稿サイズ検出装置。
【請求項７】
請求項２に記載の原稿サイズ検出装置であって、
前記原稿サイズ確定手段は、
前記原稿カバーが閉じる速度が閾値以上であれば、前記原稿カバーの所定の部分が所定の検出用位置にあるときに前記原稿サイズ取得手段が取得した原稿サイズに基づいて原稿サイズを確定し、
前記原稿カバーが閉じる速度が閾値未満であれば、前記原稿サイズ取得手段が取得した原稿サイズであって、最後に検出した原稿サイズを除いた原稿サイズに基づいて原稿サイズを確定することを特徴とする原稿サイズ検出装置。
【請求項８】
請求項２に記載の原稿サイズ検出装置であって、
前記原稿サイズ確定手段は、
前記原稿サイズ取得手段が原稿サイズの取得を開始してから前記原稿カバーが閉じるまでの間に前記原稿サイズ取得手段が取得する原稿サイズが前記原稿カバーが閉じる直前において前記原稿サイズ取得手段が取得した原稿サイズのみであれば、その原稿サイズに基づいて原稿サイズを確定し、
前記原稿サイズ取得手段が原稿サイズの取得を開始してから前記原稿カバーが閉じるまでの間に前記原稿サイズ取得手段が取得する原稿サイズが前記原稿カバーが閉じる直前において前記原稿サイズ取得手段が取得した原稿サイズのみでなければ、前記原稿サイズ取得手段が原稿サイズの取得を開始してから前記原稿カバーが閉じるまでの間に前記原稿サイズ取得手段が取得した一部または全ての原稿サイズであって、前記原稿カバーが閉じる直前において前記原稿サイズ取得手段が取得した原稿サイズを除いた原稿サイズの一部又は全部に基づいて原稿サイズを確定することを特徴とする原稿サイズ検出装置。
【請求項９】
請求項２乃至８の何れか１項に記載の原稿サイズ検出装置であって、
前記原稿カバーが閉じるのに伴って前記１以上の発光部又は前記１以上の受光部が下降する速度が閾値を超える場合には、エラーメッセージを表示し、前記原稿読取部による読取りを中止させるエラー処理手段を更に備えることを特徴とする原稿サイズ検出装置。
【請求項１０】
請求項２乃至９の何れか１項に記載の原稿サイズ検出装置であって、
前記１以上の発光部又は前記１以上の受光部が少なくとも前記原稿載置台の高さから所定の高さまでの範囲にあるときに、各発光部又は各受光部とそれに対応する受光部又は発光部との間の光路が前記原稿載置台を貫通するように、前記１以上の発光部又は前記１以上の受光部を備える前記機構部と前記１以上の受光部又は１以上の発光部が配置されていることを特徴とする原稿サイズ検出装置。
【請求項１１】
請求項２乃至１０の何れか１項に記載の原稿サイズ検出装置であって、
前記原稿カバーは、前記原稿載置台の一辺の辺縁部にある回転軸について回転することにより開閉可能となっており、
前記機構部は、前記原稿載置台の一辺の辺縁部にある回転軸について回転することにより少なくとも前記原稿載置台の高さから所定の高さまでの範囲において上昇下降が可能となっており、上昇方向に付勢されており、前記原稿カバーにより上昇位置が制限されていることを特徴とする原稿サイズ検出装置。
【請求項１２】
請求項１乃至１１の何れか１項に記載の原稿サイズ検出装置を備えることを特徴とする画像読取装置。
【請求項１３】
請求項１乃至１１の何れか１項に記載の原稿サイズ検出装置を備えることを特徴とする複合装置。
【請求項１４】
原稿が載置される透明な原稿載置台に載置された原稿サイズを検出するための原稿サイズ検出方法であって、
１以上の発光部を周期的に発光させ、その各々が前記１以上の発光部に対応する１以上の受光部の各々による受光の有無に基づいて周期毎に原稿サイズを取得する原稿サイズ取得ステップと、
前記原稿サイズ取得ステップにより１以上の各々の周期において取得された原稿サイズに基づいて原稿サイズを確定する原稿サイズ確定ステップと、
を有し、
前記１以上の発光部又は前記１以上の受光部は少なくとも前記原稿載置台の高さから所定の高さまでの範囲において上昇し下降することが可能であり、
前記原稿サイズ確定ステップでは、前記１以上の発光部又は前記１以上の受光部が下降する速度に応じて異なる方法により前記原稿サイズを確定することを特徴とする原稿サイズ検出方法。
【請求項１５】
コンピュータを請求項１乃至１１の何れか１項に記載の原稿サイズ検出装置として機能させるための原稿サイズ検出用プログラム。
【発明の詳細な説明】
【技術分野】
【０００１】
本発明は、原稿サイズを検出するための原稿サイズ検出装置、原稿サイズ検出方法及び原稿サイズ検出用プログラムに関し、特に、画像読取装置で読み取る原稿のサイズを検出するための原稿サイズ検出装置、原稿サイズ検出方法及び原稿サイズ検出用プログラムに関する。
【背景技術】
【０００２】
画像読取装置は、原稿から画像を読み取るために用いられる。原稿読取装置により読み取られた画像は、画像形成装置により紙などの媒体に印刷されたり、ＰＤＦ(Portable Document Format)ファイル、ＪＰＥＧ(JointPhotographic ExpertsGroup)ファイルにして、記録媒体（ハードディスクドライブ、メモリカード等）に記録されたり、他の装置に送信されたりする。
【０００３】
多くの画像読取装置は、原稿サイズを検出するために原稿サイズ検出装置及び利用者から原稿サイズを入力するためのユーザインターフェースを含んでいる。利用者は、原稿サイズ検出装置に原稿サイズを検出させ、又は、自分で原稿サイズを入力する。
【０００４】
原稿読取装置には、原稿サイズ検出装置が検出した原稿サイズ又は利用者が入力した原稿サイズが設定される。そして、原稿読取装置は、設定された原稿サイズの領域から原稿の読取りを行う。そして、その領域にある原稿から画像を読み取られたならば、拡大縮小などの処理がなければ、画像データはその原稿サイズのものにされてから印刷、記録又は送信される。
【先行技術文献】
【特許文献】
【０００５】
【特許文献１】特開２００８−４０２５０号公報
【発明の概要】
【発明が解決しようとする課題】
【０００６】
次に、特許文献１に開示されているような通常の原稿サイズ検出装置に関する説明をする。特許文献１に開示されている原稿サイズ検出装置は、透過方式のものである。この透過方式では、透明な原稿載置台の一辺近くの上方に複数の発光素子を並べ、原稿台のその対向辺近くの下方に複数の受光素子を並べ、各発光素子から出された光が、原稿台に原稿が載置されている部分では対応する受光素子には到達しないが、載置されていない部分では対応する受光素子に到達することを利用して原稿サイズの検出を行う。
【０００７】
ここで、利用者が原稿カバーを開けてから原稿載置台に原稿を置き、それから、原稿カバーを閉じてから、原稿から画像を読み取るための操作をすることを想定して原稿サイズ検出装置は設計されている。従って、原稿サイズ検出装置は、原稿カバーが開いた角度から閉じた角度まで回転する期間に、原稿サイズを検出する。
【０００８】
原稿サイズ検出装置は、通常の利用方法では、その期間において、原稿サイズを複数回検出することが可能であり、原稿サイズ検出装置は、複数の検出結果に基づいて原稿サイズを確定する。図１を参照して説明をすると、原稿サイズＡ４を４回続けて検出すると、それが確定サイズＡ４になる。
【０００９】
しかし、極めて素早い利用方法では、その期間が非常に短くなってしまうため、原稿サイズを検出することができたとしても１回しか検出できないこともある。原稿サイズを確定するために所定数の検出結果を必要とするならば、極めて素早い利用方法では、その所定数に達しないので、原稿サイズを確定することができなくなってしまう。図２を参照して説明をすると、検知された原稿サイズはＡ４の１つのみであるため、確定サイズを得ることができていない。
【００１０】
極めて素早い利用方法でも、原稿サイズを確定するために、１回のみの検出結果を利用することにした場合、図３に示すように、正常に原稿サイズを検出することができる場合もある。
【００１１】
しかし、特に、原稿カバーがゆっくりと閉じられ、その１回の検出結果を得ることができるタイミングが原稿カバーが完全に閉じられる直前であるならば、そのタイミングでは、原稿カバーと連動する複数の発光素子は極めて原稿載置台に近い低さまで到達している。そのような場合、紙の変形等により、発光素子から出力された光がそれに対応する各受光素子に到達するか否かが、原稿サイズのみに対応して決定されるとは限らず、従って、原稿サイズを誤って検出してしまう場合が生じ得る。また、最後の１回のみの検出結果を常に利用することにした場合、原稿カバーが大きく開いているときに正しく原稿サイズを検出しても、それを利用することを避けてしまい、原稿カバーがほぼ完全に閉じようとしている時に検出した原稿サイズを利用することになり、その結果、誤った原稿サイズが確定してしまう場合が生じる。図４を参照して説明をすると、４回もサイズＡ４を正しく検出しても、それを用いず、その後に誤って検出したＢ５を確定した原稿サイズとしてしまっている。
【００１２】
そこで、本発明は、原稿カバーが閉じられる速度に影響されずに正しく原稿サイズを検出することができる原稿サイズ検出装置、原稿サイズ検出方法及び原稿サイズ検出用プログラムを提供することを目的とする。
【課題を解決するための手段】
【００１３】
本発明によれば、
原稿が載置される透明な原稿載置台に載置された原稿サイズを検出するための原稿サイズ検出装置であって、
１以上の発光部を周期的に発光させ、その各々が前記１以上の発光部に対応する１以上の受光部の各々による受光の有無に基づいて周期毎に原稿サイズを取得する原稿サイズ取得手段と、
前記原稿サイズ取得手段により１以上の各々の周期において取得された原稿サイズに基づいて原稿サイズを確定する原稿サイズ確定手段と、
を備え、
前記１以上の発光部又は前記１以上の受光部は少なくとも前記原稿載置台の高さから所定の高さまでの範囲において上昇し下降することが可能であり、
前記原稿サイズ確定手段は、前記１以上の発光部又は前記１以上の受光部が下降する速度に応じて異なる方法により前記原稿サイズを確定することを特徴とする原稿サイズ検出装置が提供される。
また、本発明によれば、上記の原稿サイズ検出装置を備えることを特徴とする画像読取装置が提供される。
更に、本発明によれば、上記の原稿サイズ検出装置を備えることを特徴とする複合装置が提供される。
更に、本発明によれば、
原稿が載置される透明な原稿載置台に載置された原稿サイズを検出するための原稿サイズ検出方法であって、
１以上の発光部を周期的に発光させ、その各々が前記１以上の発光部に対応する１以上の受光部の各々による受光の有無に基づいて周期毎に原稿サイズを取得する原稿サイズ取得ステップと、
前記原稿サイズ取得ステップにより１以上の各々の周期において取得された原稿サイズに基づいて原稿サイズを確定する原稿サイズ確定ステップと、
を有し、
前記１以上の発光部又は前記１以上の受光部は少なくとも前記原稿載置台の高さから所定の高さまでの範囲において上昇し下降することが可能であり、
前記原稿サイズ確定ステップでは、前記１以上の発光部又は前記１以上の受光部が下降する速度に応じて異なる方法により前記原稿サイズを確定することを特徴とする原稿サイズ検出方法が提供される。
更に、本発明によれば、コンピュータを上記の原稿サイズ検出装置として機能させるための原稿サイズ検出用プログラムが提供される。
【発明の効果】
【００１４】
本発明によれば、原稿カバーが閉じられる速度に影響されずに正しく原稿サイズを検出することができる。
【図面の簡単な説明】
【００１５】
【図１】従来例の通常の動作を示すタイミング図である。
【図２】従来例の問題点１を示すタイミング図である。
【図３】従来例の問題点１の解決方法を示すタイミング図である。
【図４】図３に示す解決方法が生ずる問題点２を示すタイミング図である。
【図５】本発明の実施による複合機の概要を示す断面図である。
【図６】本発明の実施による画像読取装置の概要を示す機能ブロック図である。
【図７】本発明の実施による画像読取装置の原稿自動送り装置と原稿台の構成を示す図である。
【図８】本発明の実施による画像読取装置の操作パネル例を示す図である。
【図９】本発明の実施による画像読取装置に原稿をセットした時に、タッチパネルに表示されるキーについて説明する図である。
【図１０】本発明の実施による画像読取装置に設けられている光学センサ部について説明する図である。
【図１１】本発明の実施形態による複合機に設けられた原稿サイズ検知装置を示す上面図である。
【図１２】本発明の実施形態による複合機に設けられた原稿サイズ検知装置の斜視図である。
【図１３】本発明の実施形態による複合機に設けられた原稿サイズ検知装置の側面図である。
【図１４】本発明の実施形態による複合機に設けられた原稿サイズ検知装置の遮光片付近の構成図である。
【図１５】本発明の実施形態による複合機に設けられた原稿サイズ検知装置の制御回路図である
【図１６】本発明の実施形態による複合機に設けられた原稿サイズ検知装置の制御回路図における波形図である
【図１７】本発明の第１の実施の形態の第１の動作及び本発明の第４の実施の形態の第１の動作を示すタイミング図である。
【図１８】本発明の第１の実施の形態の第２の動作を示すタイミング図である。
【図１９】本発明の第１の実施の形態の動作を示すフローチャートである。
【図２０】本発明の第２の実施の形態の第１の動作を示すタイミング図である。
【図２１】本発明の第２の実施の形態の第２の動作を示すタイミング図である。
【図２２】本発明の第２の実施の形態の第３の動作を示すタイミング図である。
【図２３】本発明の第２の実施の形態の動作を示すフローチャートである。
【図２４】本発明の第３の実施の形態の動作を示すフローチャートである。
【図２５】本発明の第４の実施の形態の第２の動作を示すタイミング図である。
【図２６】本発明の第４の実施の形態の動作を示すフローチャートである。
【図２７】本発明の第５の実施の形態の動作を示すフローチャートである。
【発明を実施するための形態】
【００１６】
以下、図面を参照して本発明を実施するための形態について詳細に説明する。
［第１の実施の形態］
図５に、本発明の実施による複合機８００の概要を示す断面図である。
複合機８００は、外部から伝達された画像データに応じて、所定のシート（記録用紙）に対して多色及び単色の画像を形成するもので、装置本体８１０と、原稿自動送り装置８２０とを含む。装置本体８１０は、露光ユニット１、現像器２、感光体ドラム３、クリーナユニット４、帯電器５、中間転写ベルトユニット６、定着ユニット７、給紙カセット８１、排紙トレイ９１等を含む。
【００１７】
装置本体８１０の上部には、原稿が載置される透明ガラスからなる原稿台９２が設けられ、原稿台９２の上側には原稿自動送り装置８２０が取り付けられている。原稿自動送り装置８２０は、原稿台９２の上に自動で原稿を搬送する。また原稿自動送り装置８２０は矢印Ｍ方向に回動自在に構成され、原稿台９２の上を開放することにより原稿を手置きで置くことができるようになっている。
【００１８】
本複合機において扱われる画像データは、ブラック（Ｋ）、シアン（Ｃ）、マゼンタ（Ｍ）、イエロー（Ｙ）の各色を用いたカラー画像に応じたものである。したがって、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００１９】
帯電器５は、感光体ドラム３の表面を所定の電位に均一に帯電させるための帯電手段であり、図５に示すようなチャージャ型の他、接触型のローラ型やブラシ型の帯電器が用いられることもある。
【００２０】
露光ユニット１は、本発明に関わる画像書込み装置に該当するものであり、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００２１】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２２】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００２３】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００２４】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００２５】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシ等も用いることが可能である。
【００２６】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００２７】
この時、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。更に、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、又は発泡性樹脂ローラ等々）が用いられる。
【００２８】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００２９】
給紙カセット８１は、画像形成に使用するシート（記録用紙）を蓄積しておくためのトレイであり、装置本体８１０の露光ユニット１の下側に設けられている。また手差し給紙カセット８２にも画像形成に使用するシートを置くことができる。また、装置本体８１０の上方に設けられている排紙トレイ９１は、印刷済みのシートをフェイスダウンで集積するためのトレイである。
【００３０】
また装置本体８１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１乃至手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００３１】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３２】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００３３】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２と共にトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００３４】
次にシート搬送経路を詳細に説明する。上述のように、複合機には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ用紙搬送路Ｓに導くようになっている。
【００３５】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００３６】
上記の搬送経路は、シートに対する片面印字要求の時のものであるが、これに対して両面印字要求の時は、上記のように片面印字が終了し定着ユニット７を通過したシートの後端が最終の搬送ローラ１２ｂで把持された時に、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
【００３７】
図６は、複合機８００の画像読取に関わる画像読取装置２００の構成を示すブロック図である。
操作パネル部２１１は、液晶表示画面を有するタッチパネルを備え、ユーザが操作して、画像処理を行う際の各種のパラメータを設定したり、画像読取装置２００に対する命令を入力したりする。
【００３８】
制御部２１２は、ＣＰＵ２１２１、ＲＯＭ２１２２、ＲＡＭ２１２３、Ｉ／Ｏ２１２４を含み、ＲＯＭ２１２２に記憶されたプログラムに従って、ＣＰＵ２１２１が画像読取装置全体の処理を制御する。
【００３９】
スキャナ部２１３は、ＣＣＤ素子２１３１を含み、原稿を読み取って、光学情報を電気信号に変換する。
【００４０】
画像処理部２１４は、スキャナ部２１３で読み取った画像に対して、拡大・縮小等の各種画像処理を行う。
【００４１】
画像記憶部２１５は、スキャナ部２１３で読み取った画像データ又は画像処理部２１４で処理した画像データを記憶する。
【００４２】
光学センサ部２１６は、原稿のサイズを検知する原稿サイズ検知センサとプラテンカバーの開閉を検知するプラテンカバー開閉センサとを含む。
【００４３】
プラテン原稿操作部駆動モータ２１７は、原稿台９２に載置された原稿を光学的に走査するための駆動モータである。ドライバ２１７１は、制御部２１２が、プラテン原稿操作部駆動モータ２１７をドライブするためのドライバである。
【００４４】
原稿搬送ローラ駆動モータ２１８は、原稿セット台にセットされた原稿を搬送するローラを回転させるモータである。ドライバ２１８１は、制御部２１２が、原稿搬送ローラ駆動モータ２１８をドライブするためのドライバである。
【００４５】
制御部２１２は、インターフェース部２１９と通信ラインで接続されている。
【００４６】
制御部２１２、画像処理部２１４、画像記憶部２１５、及びインターフェース部２１９は、画像データバスで相互に接続されている。
【００４７】
インターフェース部２１９は、外部機器（コンピュータ・プリンタ）２２０と接続されている。
【００４８】
図７は、画像読取装置２００の原稿自動送り装置８２０と原稿台９２の構成を示す図である。
原稿給紙ローラ３０１が回転して、原稿を自動的に搬送する。
【００４９】
原稿給紙部カバー３０２は、通常は閉じていて、原稿の紙詰まりの処置や、原稿給紙ローラ３０１を清掃する時に開く。
【００５０】
原稿ガイド３０３は、原稿を正しく読み取るためのガイドであり、奥行き方向に可動になっており、セットした原稿のサイズの幅に合わせるようになっている。
【００５１】
原稿セット台３０４は、複数枚の原稿をセットする台である。
【００５２】
原稿出紙部３０５に、読み取りを終了した原稿が出てくる。
【００５３】
原稿読み取り部３０６は、原稿セット台３０４にセットした原稿を読み取る部分である。
【００５４】
原稿サイズ検知板３０７は、原稿台（ガラス面）９２にセットした原稿のサイズを検知する装置である。
【００５５】
原稿台（ガラス面）９２は、厚手の原稿やブック物等の原稿であって、原稿自動送り装置を使うことができない原稿をセットする時に使う。
【００５６】
図８は、画像読取装置２００の操作パネル例を示す図である。
タッチパネル４０１は、例えば、液晶表示画面とタッチセンサを備え、液晶表示画面はメッセージやキー等を表示し、タッチセンサは表示されているキー等に対する利用者の指によるタッチを検出する。
【００５７】
クリアキー４０２は、部数等設定した数値を「０」に戻すために使用される。
【００５８】
リセットキー４０３は、操作途中の各種設定の解除や操作を初期状態から始めるために使用される。
【００５９】
ストップキー４０４は、コピーを中止する時や、原稿の読み込みを中止するために使用される。
【００６０】
カラースタートキー４０５は、カラーコピーする時や、原稿をカラーで読み込むために使用される。
【００６１】
白黒スタートキー４０６は、原稿を白黒で読み込むために使用される。
【００６２】
節電キー４０７は、画像読取装置２００を省エネモードに移行するために使用される。節電キー４０７がＯＮにされ、又は一定時間何れのキーに対しても操作がないことにより省エネモードに移行する。節電キー４０７がＯＦＦにされること、又は何れかのキーに対する操作等の各種通常復帰トリガにより省エネモードから復帰する。
【００６３】
電源キー４０８は、画像読取装置２００の電源を入れる、又は切るために使用される。
【００６４】
図９は、原稿をセットした時に、タッチパネル４０１に表示されるキーについて説明する図である。
【００６５】
原稿キー５０１には、原稿をセットした時に自動検知された原稿サイズが表示される。原稿台（ガラス面）９２と原稿送り装置（原稿セット台３０４）の両方に原稿が搭載されている場合は、原稿送り装置側が優先して表示される。利用者は、原稿サイズを手動で入力するためには、原稿キー５０１にタッチする。原稿サイズが手動で入力されている場合には、設定されたサイズが表示される。
【００６６】
用紙キー５０２には、用紙をセットすると、自動検知された用紙サイズが表示される。利用者は、使用する用紙（トレイ）を変更する時に用紙キー５０２にタッチする。タッチするとトレイ、用紙サイズ、用紙種類（タイプ）が並んで表示される。
【００６７】
原稿送り表示５０３は、原稿自動送り装置に原稿がセットされた時に表示される。
【００６８】
図１０は、画像読取装置２００に設けられている光学センサ部２１６について説明する図である。
【００６９】
原稿サイズ検知板（発光）６０１は、複数の検知用発光部を含む。原稿台（ガラス面）９２にセットされた原稿のサイズを検知するために複数の検知用発光部は発光のために駆動される。
【００７０】
原稿サイズ検知基板（受光）６０２は、複数の検知用発光部にそれぞれ対応する複数の検知用受光部を含む。複数の検知用発光部は、後述するように上昇した状態においては、原稿セット台３０４の一辺側の辺縁部の上方にその一辺に沿うように並び、複数の検知用受光部は、原稿セット台３０４の対向辺側の辺縁部の下方にその対向辺に沿うように並ぶ。各検知用発光部から出射した光は、原稿により遮られなければ、対応する検知用受光部に到達するが、原稿により遮られれば、対向する検知用受光部に到達しない。したがって、受光した検知用受光部の組み合わせにより原稿の有無及び、原稿がある場合には、原稿のサイズを検出することができる。
【００７１】
プラテンカバー開閉センサ６０３は、プラテンカバーの開閉を検知するセンサである。その検知信号を、原稿サイズ検知のトリガ用信号として使用している。プラテンカバー開閉センサ６０３がＯＰＥＮ状態の時に、原稿サイズ検知板（発光）６０１がこれに連動して上昇すると共に、これに備わる複数の検知用発光部が発光する。上昇した位置にあり且つ発光状態の原稿サイズ検知板（発光）６０１と原稿サイズ検知基板６０２により原稿サイズを検知する。そして、プラテンカバー開閉センサ６０３がＯＰＥＮからＣＬＯＳＥに変われば、その時点の近辺において原稿サイズ検知動作を停止し、原稿サイズ情報を保持する。複数の検知用発光部は消灯する。
【００７２】
したがって、利用者が、プラテンカバーを開けてから、原稿台９２に原稿を載置し、その後、プラテンカバーを閉じる操作をするだけで、原稿サイズを検知することが可能となる。
【００７３】
その後、プラテンカバー開閉センサ６０３がＣＬＯＳＥからＯＰＥＮに変われば、原稿サイズ検知動作の再開が可能となる。
【００７４】
ＳＰＦ開閉センサ６０４は、プラテンカバーの浮きを検出するためのセンサである。プラテンカバーを開の状態から閉の状態に変化させる過程において、プラテンカバー開閉センサ６０３が開検出から閉検出に変化し、それから、ＳＰＦ開閉センサ６０４が開検出から閉検出に変化する。
【００７５】
図１１は複合機８００に設けられた原稿サイズ検知装置を示す上面図、図１２は図２に示す原稿サイズ検知装置の斜視図、図１３は図１１の原稿サイズ検知装置の側面図である。
【００７６】
図１１に示すように、Ｂ５、Ａ４、Ｂ４、Ａ３の各サイズの原稿は、透明ガラス製の原稿載置台１の基準点Ｐに原稿の角を合わせ、かつ、原稿の一辺を基準線Ｒに沿わせて載置されるようになっている。原稿載置台１は、図１１乃至図１３に示すように、原稿サイズ検知用の照光用基板４４と受光用基板４５を備える。照光用基板４４は、本発明の機構部に相当するものである。
【００７７】
照光用基板４４および受光用基板４５には、図１２に示すように、Ａ３サイズ検知用の発光ダイオード３１およびフォトダイオード３５と、Ｂ４サイズ検知用の発光ダイオード３２およびフォトダイオード３６と、Ａ４サイズ検知用の発光ダイオード３３およびフォトダイオード３７と、Ｂ５サイズ検知用の発光ダイオード３４およびフォトダイオード３８がそれぞれ搭載されている。
【００７８】
図１３に示すように、原稿カバー１ａは、支軸４９によって回動可能に軸支され、原稿カバー１ａが作業者によって矢印４８の方向に開かれると、照光用基板４４は図示しないバネ機構の作用により支点４６を中心に矢印４８の方向に所定角度まで起き上がる。角度センサ７０は受光部と発光部からなるフォトインタラプタ７０ａを備え、本体に固定されている。図１４を参照すると、原稿カバー１ａの下端に取り付けられている遮光片９０がフォトインタラプタ７０ａの受光部と発光部の間を通過可能に設けられている。遮光片９０によりフォトインタラプタ７０ａが遮られた時に、原稿カバー１ａの角度が最大角度であることが検知される。フォトインタラプタ７０ａから遮光板９０が離れたとき、原稿カバーが閉め始められたことが検知され、原稿サイズ検出が開始される。つまり、発光ダイオード３１〜３４が点灯し、それらの出射光が、原稿載置台１を透過して対応するフォトダイオード３５〜３８にそれぞれ受光される。
【００７９】
発光ダイオード３１は、原稿載置台１への照射箇所が基準線Ｒに平行になるように配列されている。他の発光ダイオード３２〜３４もそれぞれ同様に配列されている。
【００８０】
そこで、図１１に示すように、作業者がＢ５サイズの原稿を、その角が基準点Ｐに一致し、かつ、一辺が基準線Ｒに一致するように原稿載置台１の上に載置すると、その原稿によって発光ダイオード３４の出射光が遮光され、フォトダイオード３８にはいずれの出射光も受光されない。それによって原稿がＢ５サイズであることが検知される。
【００８１】
同様にＡ４、Ｂ４又はＡ３サイズの原稿を、その角が基準点Ｐに一致し、かつ、一辺が基準線Ｒに一致するように原稿載置台１の上に載置される場合も、それらの原稿によって発光ダイオード３３、３２又は３１の出射光が遮光され、対応するフォトダイオードに各出射光が受光されない。それによって原稿の各サイズが検知される。
【００８２】
従って、作業者が原稿カバー１ａを図１３に示すように矢印４８方向に開き、原稿を原稿載置台１の基準点Ｐと基準線Ｒに対応させて載置し、原稿カバー１ａを矢印４７の方向に閉じて、図示しない起動スイッチをＯＮにすると、複合機８００は、自動的に原稿サイズを検知し、そのサイズに対応する記録用紙を給紙トレイ１１ａ〜１１ｄから選択して画像形成を行う。
【００８３】
図１５は原稿サイズ検知装置の制御回路図、図１６は信号波形図であり、これらを用いて、この実施例の動作をさらに詳しく説明する。
【００８４】
図１５において、制御部２１２は、ＣＰＵ、ＲＯＭ、ＲＡＭを含むマイクロコンピュータから構成される。図１５に示すセンサＤは、前述のように原稿カバー１ａ（図１３）が矢印４８の方向に最大角度まで開かれたときに出力する角度センサ７０（図１３）である。作業者が原稿カバー１ａが閉じ始めると、制御部２１２はセンサＤからの出力をうけて直ちに図１６に示すクロック信号ＣＬを生成し、それを点灯信号生成器４１へ出力する。
【００８５】
点灯信号生成器４１は図１６に示す点灯信号Ａ、Ｂ、Ｃ、Ｄをクロック信号ＣＬに基づいて生成し、ＬＥＤドライバ４２とセレクタ４３へ出力する。ＬＥＤドライバ４２は点灯信号Ａ、Ｂ、Ｃ、Ｄに同期して電源Ｖｃｃからの電流を発光ダイオード３１〜３４に順番に通電させ、それらを発光させる。また、セレクタ４３は、電源Ｖｃｃに接続されたフォトダイオード３５〜３８の受光・非受光状態を点灯信号Ａ、Ｂ、Ｃ、Ｄに同期して選択的に検出し、信号Ｓとして制御部２１２へ入力する。制御部２１２は信号Ｓに基づいて受光していないフォトダイオードを認識し原稿サイズを検知する。つまり、直列接続状態にあるフォトダイオード３５〜３８は、直列接続状態にあるフォトダイオード対の両方が受光したときにセレクタ４３が「受光あり」を出力する。この時、制御部２１２は原稿により遮光されなかったと判定する。両方とも受光しなかったか、もしくはどちらか一方のみに受光したときにはセレクタ４３は「受光あり」を出力しない、それによって、制御部２１２は原稿により遮光されたと判定する。
【００８６】
このように、発光ダイオード３１〜３４は、発光のタイミングが周期的に変化しかつ、対応するフォトダイオード３５〜３８の各対からの受光信号も、発光のタイミングに合わせて選択され信号Ｓとして制御部２１２へ入力される。従って、フォトダイオード３５〜３８は対応しない発光ダイオードからの光（クロストーク光）を受光することがあっても、信号Ｓはその影響をうけることがない。
【００８７】
制御部２１２は、１以上の発光部を周期的に発光させ、周期毎に前記１以上の受光部の各々による受光の有無に基づいて原稿サイズを取得する原稿サイズ取得部７０１と、原稿サイズ取得部７０１により１以上の各々の周期において取得された原稿サイズに基づいて原稿サイズを確定する原稿サイズ確定部７０３を含む。
【００８８】
なお、発光ダイオード３１とフォトダイオード３５は位置が入れ替わっていてもよく、同様に、発光ダイオード３２〜３４とフォトダイオード３６〜３８はそれぞれ位置が入れ替わっていてもよい。
【００８９】
［第１の実施の形態］
図１７を参照すると、時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈと比較し、経過時間Δｔ≦閾値ｔｔｈであるので（つまり、回転速度が閾値以上であるので）、時刻ｔaにおける原稿検知サイズＡ４を確定原稿サイズとする。仮確定した原稿サイズを取得していないが、利用する必要がないので問題はない。なお、プラテンカバー開閉センサが開から閉に変化する角度に対応する発光素子の高さが、ほぼ原稿サイズを検出することができる最低限の高さ又はそれよりも幾分高い高さとなっている。
【００９０】
図１８を参照すると、時刻ｔｃにおいて、検出できた原稿サイズの数が所定数である４に達する。検知できた原稿サイズが全てＡ４であるので、この時点においてＡ４を仮確定の原稿サイズとする。時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈと比較し、経過時間Δｔ＞閾値ｔｔｈであるので（つまり、回転速度が閾値未満であるので）、仮確定した原稿サイズであるＡ４を確定原稿サイズとする。
【００９１】
次に図１９を参照して、動作の説明をする。
時刻ｔａが到来したならば（ステップＳ２００１でＹＥＳ）、この時刻において検出している画像サイズを保持する（ステップＳ２００３）。
【００９２】
次に、検出した画像のサイズの数が検出数閾値以上ならば（ステップＳ２００５でＹＥＳ）、検出したこれらの画像サイズに基づいて仮確定画像サイズを求める（ステップＳ２００７）。例えば、検出した全ての画像サイズが同一であれば、それを仮確定画像サイズとする。また、例えば、１つを除いて検出した全ての画像サイズが同一であれば、同一の画像サイズを仮確定画像サイズとする。
【００９３】
次に、時刻ｔｂが到来していなければ（ステップＳ２００９でＮＯ）、ステップＳ２００１に戻る。
【００９４】
時刻ｔｂが到来したら（ステップＳ２００９でＹＥＳ）、経過時間Δｔ（＝ｔb−ｔa）を算出し（ステップＳ２０１１）、これを閾値ｔｔｈと比較する（ステップＳ２０１３）。
【００９５】
経過時間Δｔが閾値ｔｔｈ以上であれば、仮確定した画像サイズを確定画像サイズとする（ステップＳ２０１５）。
【００９６】
経過時間Δｔが閾値ｔｔｈ未満であれば、時刻ｔａで検出した画像サイズを確定画像サイズとする（ステップＳ２０１７）。
【００９７】
［第２の実施の形態］
図２０を参照すると、時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈ１、ｔｔｈ２（＞ｔｔｈ１）と比較し、経過時間Δｔ＜閾値ｔｔｈ１であるので（つまり、回転速度が第１閾値以上であるので）、最初に検出した１つの原稿サイズＡ４を確定原稿サイズとする。
【００９８】
図２１を参照すると、時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈ１、ｔｔｈ２（＞ｔｔｈ１）と比較し、閾値ｔｔｈ１＜経過時間Δｔ＜閾値ｔｔｈ２であるので（つまり、回転速度が第１閾値未満且つ第２閾値以上であるので）、最初に検出した２つの原稿サイズＡ４を確定原稿サイズとする。
【００９９】
図２２を参照すると、時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈ１、ｔｔｈ２（＞ｔｔｈ１）と比較し、閾値ｔｔｈ２＜経過時間Δｔであるので（つまり、回転速度が第２閾値未満であるので）、最初に検出した３つの原稿サイズＡ４を確定原稿サイズとする。
【０１００】
次に図２３を参照して、動作の説明をする。
時刻ｔｂが到来していなければ（ステップＳ２０２１でＮＯ）、ステップＳ２０２１に戻る。
【０１０１】
時刻ｔｂが到来したら（ステップＳ２０２１でＹＥＳ）、経過時間Δｔ（＝ｔb−ｔa）を算出し（ステップＳ２０２３）、これを閾値ｔｔｈ２と比較する（ステップＳ２０２５）。
【０１０２】
経過時間Δｔが閾値ｔｔｈ２以上であれば（ステップＳ２０２５でＹＥＳ）、検出したＮ１個（例えば、Ｎ１＝３）の画像サイズを確定画像サイズとする（ステップＳ２０２７）。
【０１０３】
経過時間Δｔが閾値ｔｔｈ２未満であり（ステップＳ２０２５でＮＯ）、閾値ｔｔｈ１以上であれば（ステップＳ２０２９でＹＥＳ）、検出したＮ２個（例えば、Ｎ２＝２）の画像サイズを確定画像サイズとする（ステップＳ２０３１）。
【０１０４】
経過時間Δｔが閾値ｔｔｈ１未満であれば（ステップＳ２０２５でＮＯ、ステップＳ２０２９でＮＯ）、検出したＮ３個（例えば、Ｎ３＝１）の画像サイズを確定画像サイズとする（ステップＳ２０３３）。
【０１０５】
［第３の実施の形態］
第３の実施の形態は、第２の実施の形態とほぼ同様であるので、異なった点のみの説明をする。
【０１０６】
図２４に示すように、ステップＳ２０２７、Ｓ２０３１、Ｓ２０３３をそれぞれステップＳ２０２７Ｂ、Ｓ２０３１Ｂ、Ｓ２０３３Ｂに変更してもよい。Ｓ２０２７Ｂ、Ｓ２０３１Ｂ、Ｓ２０３３Ｂにおいては、それぞれ、Ｎ１個、Ｎ２個、Ｎ３個の画像サイズに最後に検出した画像サイズが含まれている場合には、それを除いた画像サイズに基づいて確定画像サイズを求める。
【０１０７】
［第４の実施の形態］
図１７を参照すると、時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈと比較し、経過時間Δｔ≦閾値ｔｔｈであるので（つまり、回転速度が閾値以上であるので）、時刻ｔaにおける原稿検知サイズＡ４を確定原稿サイズとする。仮確定した原稿サイズを取得していないが、利用する必要がないので問題はない。なお、プラテンカバー開閉センサが開から閉に変化する角度に対応する発光素子の高さが、ほぼ原稿サイズを検出することができる最低限の高さ又はそれよりも幾分高い高さとなっている。
【０１０８】
図２５を参照すると、時刻ｔbにおいて、ＳＰＦ開閉センサ６０４が開から閉に変化したならば、プラテンカバー開閉センサが開から閉に変化した時刻ｔaからの経過時間Δｔ（＝ｔb−ｔa）を閾値ｔｔｈと比較し、経過時間Δｔ＞閾値ｔｔｈであるので（つまり、回転速度が閾値未満であるので）、検出した一部又は全部画像サイズ（但し、最後に検出した画像サイズを除く）に基づいて確定画像サイズを求める。
【０１０９】
なお、一部の画像サイズは、前半部に検出した画像サイズであっても、後半部に検出した画像サイズであってもよい。
【０１１０】
次に図２６を参照して、動作の説明をする。
時刻ｔａが到来したならば（ステップＳ２０４１でＹＥＳ）、この時刻において検出している画像サイズを保持する（ステップＳ２０４３）。
【０１１１】
次に、時刻ｔｂが到来していなければ（ステップＳ２０４５でＮＯ）、ステップＳ２０４１に戻る。
【０１１２】
時刻ｔｂが到来したら（ステップＳ２０４５でＹＥＳ）、経過時間Δｔ（＝ｔb−ｔa）を算出し（ステップＳ２０４７）、これを閾値ｔｔｈと比較する（ステップＳ２０４９）。
【０１１３】
経過時間Δｔが閾値ｔｔｈ以上であれば、検出した一部又は全部画像サイズ（但し、最後に検出した画像サイズを除く）に基づいて確定画像サイズを求める（ステップＳ２０５１）。
【０１１４】
なお、一部の画像サイズは、前半部に検出した画像サイズであっても、後半部に検出した画像サイズであってもよい。
【０１１５】
経過時間Δｔが閾値ｔｔｈ未満であれば、時刻ｔａで検出した画像サイズを確定画像サイズとする（ステップＳ２０５３）。
【０１１６】
［第５の実施の形態］
図２７を参照すると、時刻ｔｂが到来していなければ（ステップＳ２０６１でＮＯ）、ステップＳ２０６１に戻る。
【０１１７】
時刻ｔｂが到来したら（ステップＳ２０６１でＹＥＳ）、検出した画像サイズの数Ｎを調べる（ステップＳ２０６５）。
【０１１８】
検出した画像サイズの数Ｎが１であれば、検出した１つの画像サイズを基に確定画像サイズを求める（ステップＳ２０６９。
【０１１９】
検出した画像サイズの数Ｎが２以上であれば、検出した２以上の画像サイズのうち、最後に検出した画像サイズを除く画像サイズの一部または全部に基づいて確定画像サイズを求める（ステップＳ２０６７）。
【０１２０】
［第６の実施の形態］
上記の実施の形態において、経過時間Δｔ（＝ｔb−ｔa）が所定の閾値よりも短ければ、エラーメッセージを表示して、原稿読取部による読取りを中止させるようにしてもよい。
【０１２１】
なお、上記の原稿サイズ検出装置は、ハードウェア、ソフトウェア又はこれらの組合わせにより実現することができる。また、上記の原稿サイズ検出装置により行なわれる原稿サイズ検出方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１２２】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１２３】
本発明は、原稿サイズを検出するために利用することができる。
【符号の説明】
【０１２４】
４１  店頭信号生成器
４２  ＬＥＤドドライバ
４３  セレクタ
４４  照光用基板
４５  受光用基板
２１２  制御部
７０１  原稿サイズ取得部
７０２  原稿サイズ確定部
【図１】
2018019184.tif 000003
【図２】
2018019184.tif 000004
【図３】
2018019184.tif 000005
【図４】
2018019184.tif 000006
【図５】
2018019184.tif 000007
【図６】
2018019184.tif 000008
【図７】
2018019184.tif 000009
【図８】
2018019184.tif 000010
【図９】
2018019184.tif 000011
【図１０】
2018019184.tif 000012
【図１１】
2018019184.tif 000013
【図１２】
2018019184.tif 000014
【図１３】
2018019184.tif 000015
【図１４】
2018019184.tif 000016
【図１５】
2018019184.tif 000017
【図１６】
2018019184.tif 000018
【図１７】
2018019184.tif 000019
【図１８】
2018019184.tif 000020
【図１９】
2018019184.tif 000021
【図２０】
2018019184.tif 000022
【図２１】
2018019184.tif 000023
【図２２】
2018019184.tif 000024
【図２３】
2018019184.tif 000025
【図２４】
2018019184.tif 000026
【図２５】
2018019184.tif 000027
【図２６】
2018019184.tif 000028
【図２７】
2018019184.tif 000029